(57)【要約】【課題】個体の外観に固有であるランダム性情報を当該個体に登録する際の不具合を確認できるようにする。【解決手段】紙指紋特徴情報取得部１０６が、外観に固有のランダム性を有する固体から当該外観の特徴を表すランダム性特徴情報を取得し、画像形成部２０３が、取得したランダム性特徴情報のコード化情報を、対応する個体に付加し、検証部３０３が、コード化情報が付加された個体のコード化情報に対応するランダム性特徴情報が、当該コード化情報が付加された個体から取得するランダム性特徴情報であるかを検証する。【選択図】図２
2015033113.tif 000002
【特許請求の範囲】
【請求項１】
外観に固有のランダム性を有する固体から当該外観の特徴を表すランダム性特徴情報を取得するランダム性特徴情報取得手段と、
前記取得したランダム性特徴情報のコード化情報を、対応する前記個体に付加するコード化情報付加手段と、
前記コード化情報が付加された個体のコード化情報に対応する前記ランダム性特徴情報が、当該コード化情報が付加された個体から取得する前記ランダム性特徴情報であるかを検証する検証手段と、
を含むことを特徴とする画像処理システム。
【請求項２】
前記コード化情報は、前記個体における前記ランダム性特徴情報を取得した位置を示す位置情報を含む、
ことを特徴とする請求項１に記載の画像処理システム。
【請求項３】
前記コード化情報付加手段は、前記位置情報に基づく位置に前記ランダム性特徴情報のコード化情報を付加する、
ことを特徴とする請求項２に記載の画像処理システム。
【請求項４】
前記検証手段は、前記コード化情報が付加された個体のコード化情報に対応する前記ランダム性特徴情報が、前記コード化情報が付加された個体における前記位置情報に基づく位置から取得する前記ランダム性特徴情報であるかを検証する、
ことを特徴とする請求項２または３に記載の画像処理システム。
【請求項５】
読取装置、画像形成装置、及び検証装置を含み、
前記読取装置は、
外観に固有のランダム性を有する固体から当該外観の特徴を表すランダム性特徴情報を取得するランダム性特徴情報取得手段を含み、
前記画像形成装置は、
前記取得したランダム性特徴情報のコード化情報を、対応する前記個体に付加するコード化情報付加手段を含み、
前記検証装置は、
前記コード化情報が付加された個体のコード化情報に対応する前記ランダム性特徴情報が、当該コード化情報が付加された個体から取得する前記ランダム性特徴情報であるかを検証する検証手段を含む、
ことを特徴とする画像処理システム。
【請求項６】
前記読取装置、前記画像形成装置、及び前記検証装置の間で前記個体を搬送する搬送手段、をさらに含む、
ことを特徴とする請求項５に記載の画像処理システム。
【請求項７】
前記検証手段が検証した前記個体を排出する複数の排出場所、をさらに含み、
前記検証手段の検証の結果に応じて、前記排出場所を異ならせる、
ことを特徴とする請求項１〜６のいずれか１項に記載の画像処理システム。
【請求項８】
前記ランダム性特徴情報取得手段は、紙媒体の紋様の画像に基づいて生成される紙指紋特徴情報を取得し、
前記コード化情報付加手段は、前記紙媒体に、前記紙指紋特徴情報から生成するコード化画像を印刷する、
ことを特徴とする請求項１〜７のいずれか１項に記載の画像処理システム。
【請求項９】
外観に固有のランダム性を有する固体から当該外観の特徴を表すランダム性特徴情報を取得するランダム性特徴情報取得手段、
前記取得したランダム性特徴情報のコード化情報を、対応する前記個体に付加するコード化情報付加手段、
前記コード化情報が付加された個体のコード化情報に対応する前記ランダム性特徴情報が、当該コード化情報が付加された個体から取得する前記ランダム性特徴情報であるかを検証する検証手段、
としてコンピュータを機能させるためのプログラム。
【発明の詳細な説明】
【技術分野】
【０００１】
本発明は、画像処理システム及びプログラムに関する。
【背景技術】
【０００２】
特許文献１には、個体の外観に固有であるランダム性を有する当該個体のランダム性情報を読み取り、コード化画像として当該個体に印刷するという個体情報登録の技術が開示されている。
【先行技術文献】
【特許文献】
【０００３】
【特許文献１】特開２００５−０３８３８９号公報
【発明の概要】
【発明が解決しようとする課題】
【０００４】
本発明の目的の一つは、個体の外観に固有であるランダム性情報を当該個体に登録する際の不具合を確認することとする。
【課題を解決するための手段】
【０００５】
請求項１に記載の発明は、画像処理システムであって、外観に固有のランダム性を有する固体から当該外観の特徴を表すランダム性特徴情報を取得するランダム性特徴情報取得手段と、前記取得したランダム性特徴情報のコード化情報を、対応する前記個体に付加するコード化情報付加手段と、前記コード化情報が付加された個体のコード化情報に対応する前記ランダム性特徴情報が、当該コード化情報が付加された個体から取得する前記ランダム性特徴情報であるかを検証する検証手段と、を含むこととしたものである。
【０００６】
請求項２に記載の発明は、請求項１に記載の画像処理システムであって、前記コード化情報は、前記個体における前記ランダム性特徴情報を取得した位置を示す位置情報を含む、こととしたものである。
【０００７】
請求項３に記載の発明は、請求項２に記載の画像処理システムであって、前記コード化情報付加手段は、前記位置情報に基づく位置に前記ランダム性特徴情報のコード化情報を付加する、こととしたものである。
【０００８】
請求項４に記載の発明は、請求項２または３に記載の画像処理システムであって、前記検証手段は、前記コード化情報が付加された個体のコード化情報に対応する前記ランダム性特徴情報が、前記コード化情報が付加された個体における前記位置情報に基づく位置から取得する前記ランダム性特徴情報であるかを検証する、こととしたものである。
【０００９】
請求項５に記載の発明は、画像処理システムであって、読取装置、画像形成装置、及び検証装置を含み、前記読取装置は、外観に固有のランダム性を有する固体から当該外観の特徴を表すランダム性特徴情報を取得するランダム性特徴情報取得手段を含み、前記画像形成装置は、前記取得したランダム性特徴情報のコード化情報を、対応する前記個体に付加するコード化情報付加手段を含み、前記検証装置は、前記コード化情報が付加された個体のコード化情報に対応する前記ランダム性特徴情報が、当該コード化情報が付加された個体から取得する前記ランダム性特徴情報であるかを検証する検証手段を含む、こととしたものである。
【００１０】
請求項６に記載の発明は、請求項５に記載の画像処理システムであって、前記読取装置、前記画像形成装置、及び前記検証装置の間で前記個体を搬送する搬送手段、をさらに含む、こととしたものである。
【００１１】
請求項７に記載の発明は、請求項１〜６のいずれか１項に記載の画像処理システムであって、前記検証手段が検証した前記個体を排出する複数の排出場所、をさらに含み、前記検証手段の検証の結果に応じて、前記排出場所を異ならせる、こととしたものである。
【００１２】
請求項８に記載の発明は、請求項１〜７のいずれか１項に記載の画像処理システムであって、前記ランダム性特徴情報取得手段は、紙媒体の紋様の画像に基づいて生成される紙指紋特徴情報を取得し、前記コード化情報付加手段は、前記紙媒体に、前記紙指紋特徴情報から生成するコード化画像を印刷する、こととしたものである。
【００１３】
請求項９に記載の発明は、プログラムであって、外観に固有のランダム性を有する固体から当該外観の特徴を表すランダム性特徴情報を取得するランダム性特徴情報取得手段、前記取得したランダム性特徴情報のコード化情報を、対応する前記個体に付加するコード化情報付加手段、前記コード化情報が付加された個体のコード化情報に対応する前記ランダム性特徴情報が、当該コード化情報が付加された個体から取得する前記ランダム性特徴情報であるかを検証する検証手段、としてコンピュータを機能させることとしたものである。
【発明の効果】
【００１４】
請求項１及び９に記載の発明によれば、個体のランダム性特徴情報を登録する際の不具合を確認することとなる。
【００１５】
請求項２、３、及び４に記載の発明によれば、個体のランダム性特徴情報を取得した位置に基づいて、個体のランダム性特徴情報を登録する際の不具合を確認することとなる。
【００１６】
請求項５の記載の発明によれば、読取装置、画像形成装置、及び検証装置という個別の装置で構成することとなる。
【００１７】
請求項６に記載の発明によれば、読取装置、画像形成装置、及び検証装置の接続を容易にすることとなる。
【００１８】
請求項７に記載の発明によれば、個体のランダム性特徴情報を登録する際の不具合が生じた個体を区別することとなる。
【００１９】
請求項８に記載の発明によれば、紙媒体の紙指紋特徴情報を登録する際の不具合を確認することとなる。
【図面の簡単な説明】
【００２０】
【図１】本発明の一実施形態に係る画像処理システムの構成の一例を示す図である。
【図２】本実施形態に係る読取装置４０、画像形成装置５０、及び検証装置６０により実行される機能の一例を示すブロック図である。
【図３】第２実施形態における画像処理システムの構成の一例を示す図である。
【発明を実施するための形態】
【００２１】
図１は、本発明の一実施形態に係る画像処理システムの構成の一例を示す図である。図１に示すように、画像処理システムは、読取装置４０、画像形成装置５０、及び検証装置６０を含んで構成されている。
【００２２】
読取装置４０は、撮像センサ７０を備える装置であり、撮像センサ７０により個体の外観を読み取り、個体の外観のランダム性を表すランダム性特徴情報を取得する。本実施形態においては個体の外観のランダム性として、紙媒体８０の表面に存在する微視的紋様である紙指紋を読み取ることとする。「微視的」とは人間の感覚で識別できないほど現象が微細であるさまをいい、微視的紋様は、例えば、紙媒体８０の表面に描かれる一般的な文字、図形のような表示とは異なり、基本的には肉眼で認識することができない微細な紋様である。個体の種類によっては生来その表面に自然に形成された微視的紋様を有するものがある。例えば、本実施形態において用いる紙媒体８０は、木材パルプを原料とした細かい繊維が絡み合って作られており、この天然繊維のランダムな絡み合いが微視的紋様である紙指紋を生じる。また、本実施形態においては、個体として紙媒体８０を用い、紙媒体８０の表面に現れる紋様として紙指紋を読み取る場合について説明するが、これに限られず、例えば、プラスティック基板等を用いてもよい。また、読取装置４０は、読み取った紙指紋から紙指紋特徴情報を取得し、バーコード、二次元コード、ＱＲコード（登録商標）といった機械可読なコード化情報に変換する。
【００２３】
画像形成装置５０は、例えば、複写機能、プリンタ機能、イメージスキャナ機能、ファクシミリ機能などを有した複合機である。本実施形態においては、画像形成装置５０は、コード化情報としてコード化画像８２を紙媒体８０に付加して印刷する。なお、紙媒体８０への画像の印刷とともにコード化画像８２を付加してもよい。
【００２４】
検証装置６０は、撮像センサ７０を備える装置であり、画像形成装置５０にてコード化画像８２の印刷処理をされた直後の紙媒体８０を対象として、撮像センサ７０により画像形成装置５０が印刷したコード化画像８２を読み取ることで得られる紙指紋特徴情報と、所定の位置における紙指紋特徴情報とが一致するかを検証する。なお、検証装置６０は、読取装置４０と同一の装置であってもよいし、読取装置４０が検証装置６０として動作してもよい。
【００２５】
本実施形態においては、ＩＤカード、パスポートといった複製不可の証明書等を作成する際に、その証明書が原本であるか否かを認証するための認証情報として原本の紙指紋特徴情報を、当該原本に登録する。具体的には、原本の所定の位置における紙指紋特徴情報を取得し、取得した紙指紋特徴情報をコード変換したコード化情報を、当該原本に登録する。そして、認証対象が原本であるか否かの認証時に、認証対象に登録されているコード化情報に対応する紙指紋特徴情報と、認証対象の所定の位置における紙指紋特徴情報と、を照合することにより当該認証対象が原本であるか否かを検証する。そして、コード化情報に対応する紙指紋特徴情報と、認証対象の所定の位置における紙指紋特徴情報と、が一致する場合に当該認証対象が原本であると判定する。
【００２６】
ここで、原本の所定の位置における紙指紋特徴情報のコード化情報を認証情報として当該原本に登録する段階で、登録の失敗が生じる場合がある。具体的には、紙指紋の読取位置がずれる、画像形成装置の重走により媒体にコード化情報を登録できないことが挙げられる。本実施形態は、このようなコード化情報の登録ミスをコード化情報の登録の際に発見できる構成となっている。
【００２７】
図２は、本実施形態に係る読取装置４０、画像形成装置５０、及び検証装置６０により実行される機能の一例を示すブロック図である。図２に示すように、読取装置４０は、紙指紋読取部１０５、紙指紋特徴情報取得部１０６、変換部１０７、及び送信部１０９を含んで構成される。なお、本実施形態に係る読取装置４０において、図２に示す機能以外の機能が実現されていてもよい。これらの機能は、記憶部に記憶されたプログラムが制御部を実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネット等の通信手段を介して読取装置４０に供給される。
【００２８】
また、画像形成装置５０は、受信部２０１及び画像形成部２０３を含んで構成される。なお、本実施形態に係る画像形成装置５０において、図２に示す機能以外の機能が実現されていてもよい。これらの機能は、記憶部に記憶されたプログラムが制御部を実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネット等の通信手段を介して画像形成装置５０に供給される。
【００２９】
また、検証装置６０は、コード化情報読取部３０２、及び検証部３０３を含んで構成される。なお、本実施形態に係る検証装置６０において、図２に示す機能以外の機能が実現されていてもよい。これらの機能は、記憶部に記憶されたプログラムが制御部を実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネット等の通信手段を介して検証装置６０に供給される。
【００３０】
読取装置４０の紙指紋読取部１０５は、原本である紙媒体８０（以下、原本とする）の表面を撮像センサでスキャンすることにより、原本の全体または一部の紙指紋画像を読み取る。具体的には、紙指紋読取部１０５は、原本の表面に現れる紋様、例えば原本を形成する繊維の紋様を読み取る。なお、原本の表面の微小なクラックや材料の微粒子等によって形成される紋様を読み取る構成としてもよい。
【００３１】
読取装置４０の紙指紋特徴情報取得部１０６は、紙指紋読取部１０５が読み取った紙指紋画像から１または複数の予め決められたサンプリング領域から紙指紋特徴情報を取得する。サンプリング領域は、原本全体であってもよいし、原本上の１または複数の部分領域であってもよい。そして、紙指紋特徴情報取得部１０６は、紙指紋特徴情報とともに、サンプリング領域の位置情報を取得する。具体的には、画像中に複数の領域が設定され、紙指紋特徴情報取得部１０６は、当該複数の領域の紙指紋特徴情報を取得する。当該領域は、例えば、紙指紋特徴情報を取得するための最小の領域に相当する。また、紙指紋特徴情報の位置情報は、当該複数の領域に関する位置情報に相当する。位置情報は、原本上のある点（例えば、原本のエッジ）を原点とし、原本の横方向をｘ軸、縦方向をｙ軸とした場合にｘ及びｙ座標で表されることとする。なお、原本が四角形状でない場合は、位置情報は原点からのベクトル等で表されてもよい。
【００３２】
読取装置４０の変換部１０７は、紙指紋特徴情報取得部１０６が取得した紙指紋特徴情報を機械可読なコード化情報に変換する。具体的には、紙指紋特徴情報に対して離散コサイン変換等を適用して圧縮し、圧縮後のデータに基づき、機械が自動的に読み取り可能な形式のコード化情報として原本へ印刷するためのビットマップデータを生成する。なお、データ圧縮は必須ではなく、データ圧縮を行うことなくコード化してもよい。また、取得した紙指紋特徴情報にサンプリング領域の位置を表す位置情報を付加した後に圧縮・コード化を行うこととしてもよい。サンプリング領域を複数の候補領域から選択する場合には、各候補領域に互いを弁別する番号等の識別情報（候補領域ＩＤ）を定義しておき、当該候補領域ＩＤをサンプリング領域の位置情報とすることができる。また、複数の原本を互いに識別する必要がある場合には別途、原本を識別するための識別情報（原本に表示される画像そのものや当該画像から抽出した特徴情報等）を原本に印刷してもよい。なお、データの暗号化も行うようにしてもよい。
【００３３】
読取装置４０の送信部１０９は、変換部１０７が変換したコード化情報を画像形成装置５０へ送信する。
【００３４】
画像形成装置５０の受信部２０１は、読取装置４０の送信部１０９が送信したコード化情報を受信して画像形成部２０３へ出力する。
【００３５】
画像形成装置５０の画像形成部２０３は、読取装置４０から取得したコード化情報を対応する原本に印刷する。コード化情報を印刷するコード化情報印刷領域は、紙の地肌が露出しており、印刷や記入がなされない領域に１つ又は複数設定される。例えば、コード化情報印刷領域として設定可能な候補領域を原本全体の１または複数の所定箇所に予め設定しておき、それら候補領域のうちの１または複数をコード化情報印刷領域として選択する。また、紙指紋特徴情報取得部１０６が取得したサンプリング領域の位置情報に基づいてコード化情報印刷領域を設定してもよい。
【００３６】
また、画像形成装置５０の画像形成部２０３は、読取装置４０から取得したコード化情報とともに当該コード化情報に関連する情報（例えば、ＩＤ番号、顔写真、名前等）を、対応する原本に印刷してもよい。
【００３７】
検証装置６０のコード化情報読取部３０２は、原本に印刷されたコード化情報を撮像センサで読取り、コード化情報に対応する紙指紋特徴情報を取得する。
【００３８】
検証装置６０の検証部３０３は、原本上に、コード化情報読取部３０２が取得した紙指紋特徴情報と一致する部分を探索する。検証部３０３は、読取装置４０の紙指紋特徴情報取得部１０６が取得したサンプリング領域の位置情報に基づいて、コード化情報から取得した紙指紋特徴情報と一致する部分を探索する検証領域を決定する。ここで、検証領域をサンプリング領域と同一の大きさにすると、読取位置がわずかにずれただけで検証ができなくなるため、検証領域はサンプリング領域より広く設定し、原本の位置ずれが生じてもサンプリング領域を包含し得るようにして、検証領域の紙指紋内にてコード化情報に対応する紙指紋特徴情報に一致する部分を探索する。例えば、検証部３０３は、検証領域の画像内にてコード化情報に対応する紙指紋画像の画素値の相関値が所定の閾値以上となる部分があれば、コード化情報に対応する紙指紋画像と一致したと判定する。
【００３９】
検証部３０３が、一致したと判定した場合に、原本への認証情報（紙指紋特徴情報をコード化したコード化情報）の登録が完了する。検証部３０３が、一致しないと判定した場合は、原本への認証情報の登録が失敗となる。検証装置６０は、検証部３０３の検証の結果、一致しないと判定した場合に警告表示、警告音といったエラー信号を出力してもよい。
【００４０】
また、検証装置６０は、検証部３０３による検証を終了した原本を排出する排出場所を複数個有することとしてもよい。そして、検証装置６０は、検証部３０３の検証の結果、一致すると判断した場合と、一致しないと判断した場合とで異なる排出場所に原本を排出することとする。これにより、認証情報の登録が失敗した原本を区別することが可能となる。また、検証装置６０は、検証部３０３の検証の結果、一致しないと判定した場合に読取装置４０、画像形成装置５０、及び検証装置６０の一部または全部の動作を中断してもよい。
［第２実施形態］
【００４１】
第２実施形態では、第１実施形態における読取装置４０、画像形成装置５０、及び検証装置６０の各装置間で紙媒体を搬送する搬送機構９０−１,９０−２（図３参照）を備えることとする。搬送機構９０−１,９０−２は、ローラやベルト等により構成され、カット紙やロール紙などの紙媒体を移動させる。図３は、第２実施形態における画像処理システムの構成の一例を示す図である。読取装置４０から紙指紋画像を取得されて送出された原本は、搬送機構９０−１により画像形成装置５０に渡される。そして、コード化情報等を印刷されて画像形成装置５０から送出されると、搬送機構９０−２により検証装置６０へ渡される。
［第３実施形態］
【００４２】
第３実施形態では、コード化情報が印刷されている原稿（以下、照合対象とする）が原本であるか否かの真偽判定を行う照合装置１００を備えることとする。
【００４３】
照合装置１００は、撮像センサ７０を備える装置であり、撮像センサ７０により照合対象に印刷されているコード化情報を読み取ることで紙指紋特徴情報を取得し、照合対象上に、読み取った紙指紋特徴情報と一致する部分を探索する。具体的には、照合装置１００は、コード化情報に含まれるサンプリング領域の位置情報を取得し、サンプリング領域の位置情報に基づいて、コード化情報から読み取った紙指紋特徴情報と一致する部分を探索する照合領域を決定する。ここで、照合領域をサンプリング領域と同一の大きさにすると、読取位置がわずかにずれただけで照合ができなくなるため、照合領域はサンプリング領域より広く設定し、照合対象の位置ずれが生じてもサンプリング領域を包含し得るようにして、照合領域の紙指紋内にてコード化情報に対応する紙指紋特徴情報に一致する部分を探索する。例えば、照合装置１００は、照合領域の画像内にてコード化情報に対応する紙指紋画像の画素値の相関値が所定の閾値以上となる部分があれば、コード化情報に対応する紙指紋画像と一致したと判定する。なお、照合装置１００は、検証装置６０または読取装置４０と同一の装置であってもよいし、読取装置４０または検証装置６０が照合装置１００として動作してもよい。
【００４４】
そして、照合装置１００が一致したと判定した場合には、照合対象が原本であると認証されたこととなり、一致しないと判定した場合には、認証が失敗となる。照合装置１００は、認証が失敗した場合に、エラー信号を出力することとしてもよい。例えば、ＩＤカードによる入退出の認証において、認証が失敗した場合に、入出または退出ゲートを開けないこととする。
【００４５】
なお、本発明は上述の実施形態に限定されるものではない。
【００４６】
例えば、原本から取得した紙指紋画像のコード化情報を当該原本に印刷することとしたが、原本から取得した紙指紋画像、紙指紋画像から取得する紙指紋特徴情報、及びコード化情報に基づいて生成されたコード化画像データを関連付けてサーバ等に保存することとしてもよい。この場合は、検証装置６０または照合装置１００はサーバから紙指紋特徴情報を取得して、原本上に当該取得した紙指紋特徴情報と一致する部分を探索する。
【００４７】
また、読取装置４０が、紙指紋特徴情報取得部１０６の読取った紙指紋画像が予め定められた基準を満たすか否かを判断してもよい。基準となるものは、例えば、サンプリング領域の画像の濃度分布、サンプリング領域の印刷パターンである。そして、読取装置４０が、基準を満たさないと判断した場合は、エラー信号を出力し読取装置４０の動作を中断する。
【００４８】
また、読取装置４０が、紙媒体のサイズを読み取り、予め定められたサイズであるか否かを判断してもよい。そして、読取装置４０が、読取り可能な予め定められたサイズでないと判断した場合は、エラー信号を出力し読取装置４０の動作を中断する。
【００４９】
読取装置４０が紙指紋特徴情報取得部１０６及び変換部１０７を備えることとしたが、この例に限定されず、読取装置４０の紙指紋特徴情報取得部１０６が取得した紙指紋特徴情報を画像形成装置５０へ送信し、画像形成装置５０が受信した紙指紋特徴情報をコード化情報に変換してもよい。
【符号の説明】
【００５０】
４０  読取装置、５０  画像形成装置、６０  検証装置、７０  撮像センサ、８０  紙媒体、８２  コード化画像、９０−１,９０−２  搬送装置、１００  照合装置、１０５  紙指紋読取部、１０６  紙指紋特徴情報取得部、１０７  変換部、１０９  送信部、２０１  受信部、２０３  画像形成部、３０２  コード化情報読取部、３０３  検証部。
【図１】
2015033113.tif 000003
【図２】
2015033113.tif 000004
【図３】
2015033113.tif 000005